(57)【要約】【課題】一定の広告効果を維持しながら、広告を表示することによるユーザの不快感を軽減することを目的とする。【解決手段】情報処理装置１０は、共通の表示枠１７ａに、広告コンテンツを定期的に切り替えて表示させる機能を有する。情報処理装置１０の広告表示順序決定部２５は、広告コンテンツ毎にターゲット状況と表示回数との組み合わせに対して表示順序を決定するためのパラメータ値が設定されたパラメータ情報と、広告コンテンツ毎の表示枠１７ａへの表示回数と、情報処理装置１０の属性情報及びユーザの属性情報の少なくともいずれか一方を含む属性情報とに基づいて、表示枠１７ａに表示させる広告コンテンツの表示順序を決定する。表示切替部２６は、広告表示順序決定部２５によって決定された表示順序に従って広告コンテンツを表示枠１７ａに表示させる。【選択図】図３
2020027519.tif 000002
【特許請求の範囲】
【請求項１】
共通の表示枠に、広告コンテンツを定期的に切り替えて表示させる電子機器であって、
広告コンテンツ毎にターゲット状況と表示回数との組み合わせに対して表示順序を決定するためのパラメータ値が設定されたパラメータ情報と、前記広告コンテンツ毎の前記表示枠への表示回数と、前記電子機器の属性情報及びユーザの属性情報の少なくともいずれか一方を含む属性情報とに基づいて、前記表示枠に表示させる広告コンテンツの表示順序を決定する表示順序決定部と、
前記表示順序決定部によって決定された前記表示順序に従って前記表示枠に前記広告コンテンツを表示させる表示切替部と
を具備する電子機器。
【請求項２】
前記パラメータ値は、表示確率に関する数値である請求項１に記載の電子機器。
【請求項３】
前記パラメータ情報は、ターゲット層および非ターゲット層のそれぞれについて、表示回数毎に前記パラメータ値が設定されており、
前記表示順序決定部は、
前記属性情報と前記広告コンテンツ毎に設定されたターゲット情報とに基づいて、前記広告コンテンツ毎にターゲット層か非ターゲット層かを判定する判定部と、
前記判定部の判定結果及び前記広告コンテンツの前記表示枠に対する表示回数に基づいて、前記パラメータ情報から該当するパラメータ値を前記広告コンテンツ毎に取得するパラメータ取得部と、
前記パラメータ取得部によって取得された前記広告コンテンツ毎のパラメータ値を用いて、前記広告コンテンツの表示順序を決定する決定部と
を具備する請求項１または２に記載の電子機器。
【請求項４】
前記パラメータ取得部は、前記ターゲット情報が複数の条件から構成される場合に、前記属性情報が前記ターゲット情報を満足する割合に応じて、前記パラメータ値を調整する請求項３に記載の電子機器。
【請求項５】
前記決定部は、前記パラメータ取得部によって取得された前記広告コンテンツ毎のパラメータ値に基づいて乱数を発生させ、前記乱数の大きい広告コンテンツほど表示順序が早まるように表示順序を決定する請求項３または４に記載の電子機器。
【請求項６】
前記表示切替部は、前記表示枠に、前記広告コンテンツと広告以外の複数のコンテンツとを所定の表示スケジュールに従って切り替えて表示する請求項１から５のいずれかに記載の電子機器。
【請求項７】
前記パラメータ情報を所定のサーバから受信するための通信部を備える請求項１から６のいずれかに記載の電子機器。
【請求項８】
前記パラメータ情報は所定のタイミングで更新される請求項１から７のいずれかに記載の電子機器。
【請求項９】
表示画面に設けられた共通の表示枠に対して複数の広告コンテンツを所定のタイミングで切り替えて表示させる広告表示方法であって、
広告コンテンツ毎にターゲット状況と表示回数との組み合わせに対して表示順序を決定するためのパラメータ値が設定されたパラメータ情報と、前記広告コンテンツ毎の前記表示枠への表示回数と、前記表示画面を有する機器の属性情報及びユーザの属性情報の少なくともいずれか一方を含む属性情報とに基づいて、前記表示枠に表示させる広告コンテンツの表示順序を決定し、
決定した前記表示順序に従って前記表示枠に前記広告コンテンツを表示させる広告表示方法。
【請求項１０】
表示画面に設けられた共通の表示枠に対して複数の広告コンテンツを所定のタイミングで切り替えて表示させるための広告表示プログラムであって、
広告コンテンツ毎にターゲット状況と表示回数との組み合わせに対して表示順序を決定するためのパラメータが設定されたパラメータ情報と、前記広告コンテンツ毎の前記表示枠への表示回数と、前記表示画面を有する機器の属性情報及びユーザの属性情報の少なくともいずれか一方を含む属性情報とに基づいて、前記表示枠に表示させる広告コンテンツの表示順序を決定する表示順序決定処理と、
前記表示順序に従って前記表示枠に前記広告コンテンツを表示させる表示切替処理と
をコンピュータに実行させるための広告表示プログラム。
【発明の詳細な説明】
【技術分野】
【０００１】
本発明は、電子機器及び広告表示方法並びに広告表示プログラムに関するものである。
【背景技術】
【０００２】
インターネットの急速な発展に伴い、インターネットを介した広告付与が盛んに行われている。広告付与としては、ウェブページの所定の位置に企業、商品等を表示する画像、またはキャッチコピー等の広告情報を表示し、このような広告情報がクリックされた場合に広告主のウェブページへ遷移するものがある（例えば、特許文献１参照）。
【０００３】
近年、ノートＰＣやタブレット端末等の情報処理装置が備える表示画面の一部または全面に、天気、カレンダー、最新のニュースなどを自動的に順次切り替えて表示させるアプリケーションが提案されている。そして、このようなアプリケーションにおいて、天気、カレンダー、ニュースなどのコンテンツの切り替えの合間に、広告コンテンツを定期的に表示させる試みがなされている。
【先行技術文献】
【特許文献】
【０００４】
【特許文献１】特開２０１５−２２５６１号公報
【発明の概要】
【発明が解決しようとする課題】
【０００５】
広告コンテンツをユーザに提供する場合、広告主と視聴者の双方の要望をバランスよく実現することが重要となる。
しかしながら、例えば、視聴者が飽きないように、より多くの広告コンテンツを順番に表示する場合、ターゲット層であるか否かにかかわらず広告コンテンツが表示されるため、広告効果が期待できず、広告主の要望を満足することが難しい。その一方で、広告主がターゲットとするユーザに絞って集中的に広告コンテンツを提供する場合は、同一ユーザに対して同じような広告コンテンツが高い頻度で繰り返し提供されることとなるため、視聴者に煩わしさや不快感を与えかねない。
【０００６】
本発明は、このような事情に鑑みてなされたものであって、一定の広告効果を維持しながら、広告を表示することによるユーザの不快感を軽減することのできる電子機器及び広告表示方法並びに広告表示プログラムを提供することを目的とする。
【課題を解決するための手段】
【０００７】
本発明の第１態様は、共通の表示枠に、広告コンテンツを定期的に切り替えて表示させる電子機器であって、広告コンテンツ毎にターゲット状況と表示回数との組み合わせに対して表示順序を決定するためのパラメータ値が設定されたパラメータ情報と、前記広告コンテンツ毎の前記表示枠への表示回数と、前記電子機器の属性情報およびユーザの属性情報の少なくともいずれか一方を含む属性情報とに基づいて、前記表示枠に表示させる広告コンテンツの表示順序を決定する表示順序決定部と、前記表示順序決定部によって決定された前記表示順序に従って前記表示枠に前記広告コンテンツを表示させる表示切替部とを具備する電子機器である。
上記「ターゲット状況」は、例えば、広告コンテンツ毎に登録されたターゲット情報を上記属性情報が満足する度合いに関する評価値である。
【０００８】
本発明の第２態様は、表示画面に設けられた共通の表示枠に対して複数の広告コンテンツを所定のタイミングで切り替えて表示させる広告表示方法であって、広告コンテンツ毎にターゲット状況と表示回数との組み合わせに対して表示順序を決定するためのパラメータ値が設定されたパラメータ情報と、前記広告コンテンツ毎の前記表示枠への表示回数と、前記表示画面を有する機器の属性情報およびユーザの属性情報の少なくともいずれか一方を含む属性情報とに基づいて、前記表示枠に表示させる広告コンテンツの表示順序を決定し、決定した前記表示順序に従って前記表示枠に前記広告コンテンツを表示させるコンテンツ表示方法である。
【０００９】
本発明の第３態様は、表示画面に設けられた共通の表示枠に対して複数の広告コンテンツを所定のタイミングで切り替えて表示させるための広告表示プログラムであって、広告コンテンツ毎にターゲット状況と表示回数との組み合わせに対して表示順序を決定するためのパラメータが設定されたパラメータ情報と、前記広告コンテンツ毎の前記表示枠への表示回数と、前記表示画面を有する機器の属性情報およびユーザの属性情報の少なくともいずれか一方を含む属性情報とに基づいて、前記表示枠に表示させる広告コンテンツの表示順序を決定する表示順序決定処理と、前記表示順序に従って前記表示枠に前記広告コンテンツを表示させる表示切替処理とをコンピュータに実行させるための広告表示プログラムである。
【発明の効果】
【００１０】
本発明によれば、一定の広告効果を維持しながら、広告を表示することによるユーザの不快感を軽減することができるという効果を奏する。
【図面の簡単な説明】
【００１１】
【図１】本発明の一実施形態に係る情報処理装置の概略外観図である。
【図２】本発明の一実施形態に係る情報処理装置のハードウェア構成を概略的に示した図である。
【図３】本発明の一実施形態に係る情報処理装置が備える機能の一例を示した機能ブロック図である。
【図４】図３における記憶部及び広告表示順序決定部について詳細に示した機能ブロック図である。
【図５】本発明の一実施形態に係るターゲット情報の一例を示した図である。
【図６】本発明の一実施形態に係るパラメータ情報の一例を示した図である。
【図７】本発明の一実施形態に係る表示回数情報の一例を示した図である。
【図８】本発明の一実施形態に係る情報処理装置において、表示枠に表示されるコンテンツの表示スケジュールの一例を示した図である。
【発明を実施するための形態】
【００１２】
以下に、本発明の一実施形態に係る電子機器及び広告表示方法並びに広告表示プログラムについて図面を参照して説明する。本実施形態では、電子機器の一例としてタブレット端末、携帯電話機、ノートＰＣ等の情報処理装置を例に挙げて説明するが、電子機器は情報処理装置に限定されない。
【００１３】
図１は本発明の一実施形態に係る情報処理装置１０の外観を概略的に示した図である。図１に示すように、情報処理装置１０は、液晶表示装置等からなる表示部１７と、入力部１６とを備えている。本実施形態に係る情報処理装置１０は、表示部１７に設けられた共有の表示枠１７ａに、広告コンテンツ及び広告以外の複数のコンテンツを切り替えて順次表示させる機能を有している。表示枠１７ａは、表示部１７が備える表示画面の一部に設けられていても良いし、全画面領域を対象として設けられていてもよい。表示枠１７ａの大きさは、例えば、ユーザが任意に設定及び変更できるように構成されていてもよい。
【００１４】
図２は、本実施形態に係る情報処理装置１０のハードウェア構成の一例を概略的に示した図である。図２に示すように、情報処理装置１０は、例えば、ＣＰＵ１１、ＣＰＵ１１が実行するプログラム等を記憶するためのＲＯＭ１２、各プログラム実行時のワーク領域として機能するＲＡＭ１３、大容量記憶装置としてのハードディスクドライブ（ＨＤＤ）１４、ネットワークに接続するための通信インターフェース１５、キーボードやマウス等からなる入力部１６、及び表示部１７等を備えている。これら各部は、バス１８を介して接続されている。
上記ＲＯＭ１２には、各種プログラムが格納されており、ＣＰＵ１１がＲＯＭ１２からＲＡＭ１３にプログラムを読み出し、実行することにより種々の機能を実現させる。例えば、表示枠１７ａに各種コンテンツを切り替えて表示させる機能は、一例として、アプリケーションソフトウェアとしてＲＯＭ１２に格納されており、このアプリケーションソフトウェアがＣＰＵ１１によって実行されることにより、表示枠１７ａに対する表示切替処理や、後述する広告コンテンツの表示順序決定処理等が実現される。
【００１５】
図３は、情報処理装置１０が備える機能の一例を示した機能ブロック図である。図３に示すように、情報処理装置１０は、コンテンツ記憶部２１、コンテンツ取得部２２、記憶部２３、情報取得部２４、広告表示順序決定部２５、表示切替部２６を備えている。
【００１６】
コンテンツ記憶部２１には、表示枠１７ａに表示させる複数のコンテンツが格納されている。例えば、表示枠１７ａに表示可能なコンテンツの種類は予め設定されており、これらの中から表示枠１７ａに表示させるコンテンツの種類をユーザが適宜選択できるような構成とされている。表示枠１７ａに表示可能なコンテンツの種類として、例えば、「ニュース」、「天気」、「株価」、「カレンダー」、「時刻」等が挙げられる。本実施形態では、表示枠１７ａに表示させる広告以外のコンテンツとして「ニュース」、「天気」、「カレンダー」がユーザによって選択された場合を例示して説明する。なお、表示枠１７ａに表示させるコンテンツの種類や設定方法等については上記例に限定されない。
【００１７】
コンテンツ取得部２２は、所定のタイミングで広告以外の複数のコンテンツを取得し、コンテンツ記憶部２１内のコンテンツを更新する。例えば、コンテンツ取得部２２は、所定のタイミングで、ニュースを配信するニュース配信サーバ、天気情報を配信する天気配信サーバ等にネットワークを介してアクセスし、ニュースコンテンツ及び天気コンテンツを取得する。また、コンテンツ取得部２２は、情報処理装置１０内またはクラウド上に記憶されているカレンダー情報を取得する。
【００１８】
記憶部２３には、表示枠１７ａに表示させる広告コンテンツに関する種々の情報が格納されている。具体的には、図４に示すように、記憶部２３には、ターゲット情報３１、パラメータ情報３２、表示回数情報３３、属性情報３４、格納先情報３５等が格納されている。
【００１９】
ターゲット情報３１は、例えば、各広告コンテンツの識別情報に関連付けてターゲット情報が設定されている。本実施形態において、ターゲット情報３１は、ユーザ属性に関するターゲット情報と、機器属性に関するターゲット情報とを有している。
図５（ａ）は、ユーザ属性に関するターゲット情報の一例を示した図、図５（ｂ）は機器属性に関するターゲット情報の一例を示した図である。
図５（ａ）に示した例では、識別情報「ＡＡＡ」の広告コンテンツに対して「男性」のターゲット情報が、識別情報「ＢＢＢ」の広告コンテンツに対して「女性」のターゲット情報が、識別情報「ＣＣＣ」の広告コンテンツに対して「６０歳以上」のターゲット情報が設定されている。
また、図５（ｂ）に示した例では、識別情報「ＡＡＡ」、「ＣＣＣ」の広告コンテンツに対して機器の位置情報「都市部」、識別情報「ＢＢＢ」の広告コンテンツに対して「都市部以外」が設定されている。その他、機器属性に関するターゲット情報の一例として、機器種別（デスクトップＰＣ、ノートＰＣ、スマートフォン、タブレット端末等）などが挙げられる。
なお、ターゲット情報は、例えば、ユーザ属性に関するターゲット情報及び機器属性に関するターゲット情報の少なくともいずれか一方を含んでいてもよく、あるいは、上記ターゲット情報に代えて他の観点から設定されたターゲット情報が登録されていてもよい。他の観点から設定されたターゲット情報の一例として、例えば、広告表示を優先したい時間帯などが挙げられる。このように、ターゲット情報は、広告を効果的に配信するための少なくとも一つの条件が登録された情報であればよい。
【００２０】
パラメータ情報３２は、広告コンテンツの識別情報毎に、ターゲット状況と表示回数との組み合わせに対して表示順序を決定するためのパラメータ値が設定されている。例えば、パラメータ情報３２は、ターゲット層および非ターゲット層のそれぞれについて、表示回数毎に表示順序を決めるためのパラメータ値が設定されている。
【００２１】
図６にパラメータ情報の一例を示す。図６では、各広告コンテンツに関連付けて、各表示回数に対するパラメータ値がターゲット層及び非ターゲット層のそれぞれについて設定されている。例えば、識別情報「ＡＡＡ」の広告コンテンツを例示すると、ターゲット層に関しては、表示回数「０〜２」に対して「９」のパラメータ値が、表示回数「３〜５」に対して「２」のパラメータ値が、表示回数「６以上」に対して「１」のパラメータ値が設定されている。同様に、識別情報「ＡＡＡ」の広告コンテンツの非ターゲット層のパラメータ情報は、例えば、表示回数「０〜１」に対して「３」のパラメータ値が、表示回数「２」に対して「２」のパラメータ値が、表示回数「３〜６以上」に対して「１」のパラメータ値が設定されている。このパラメータ値は、例えば、広告コンテンツの表示確率に関する数値である。すなわち、パラメータ値が高いほど、その広告コンテンツが表示枠１７ａに表示される可能性が高いことを示している。
【００２２】
このパラメータ情報は、例えば、広告主などの意向を考慮して、広告コンテンツを管理するサーバ側で設定される。例えば、広告主はターゲット層のユーザに対してより多く広告コンテンツを表示させたいと考えている。そのため、図６に示したように、ターゲット層のパラメータ値は、非ターゲット層のパラメータ値よりも大きな値に設定される傾向にある。また、例えば、広告コンテンツの内容に応じて、効果的な表示回数が異なる場合がある。例えば、食品のように繰返し消費する商品の安売り広告などのように、初期の表示において高い効果（Click per Page Viewなど）が期待されるような広告もあれば、車のように高価な耐久消費財のブランド認知広告のような、ある程度繰り返し表示させることで徐々に関心を得て、効果が出るような広告コンテンツもある。このように、広告コンテンツの期待する表示回数、ユーザ属性や装置設置場所・装置のローカル時計から分かる時間帯などターゲティングの限定度合を考慮してパラメータ値を設定することで、広告主の要望を反映させた広告表示を実現させることが可能となる。
更に、パラメータ値を優先順位などの確定的な数値とせずに表示確率とすることで、各広告コンテンツの表示順位を確定的なものではなく、確率的に調整することができる。これにより、例えば、パラメータ値が高い広告コンテンツよりもパラメータ値の低い広告コンテンツが優先的に表示される可能性も残すことができ、例えば、パラメータ値が高い広告だけが頻繁に表示枠１７ａに表示されることを回避することができる。これにより、ユーザに提供される広告の種類に極度が偏りが生じることを回避でき、ユーザに対して不快感を与えることを軽減することができる。
【００２３】
表示回数情報３３は、広告コンテンツの識別情報に関連付けて、表示枠１７ａに表示された回数（表示回数）が登録されている。この表示回数は、広告コンテンツが表示枠１７ａに表示される度に更新される情報である。また例えば、表示回数は、その広告コンテンツの表示期限が訪れるまで、リセットされずに継続的に累積される。
図７に表示回数情報の一例を示す。図７に示した表示回数情報の例では、各広告コンテンツの表示回数とともに、当該情報処理装置１０のユーザが各広告コンテンツのターゲット層に該当するか否かの情報も登録されている。この情報は、後述する広告表示順序決定部２５の判定部４１によって判定され、登録される情報であり、詳細は後述する。
【００２４】
属性情報３４には、例えば、ユーザ属性情報や機器属性情報等が登録されている。ユーザ属性情報として、例えば、ユーザの年齢、性別等が登録されている。また、ユーザの嗜好や興味に関する情報等も登録されていてもよい。
機器属性情報として、例えば、機器種別（デスクトップＰＣ、ノートＰＣ、スマートフォン、タブレット端末等）、機器の位置等が登録されている。
格納先情報３５には、各広告コンテンツの格納先情報、例えば、ＵＲＬが格納されている。
【００２５】
情報取得部２４は、所定のタイミングで広告コンテンツを管理する広告管理サーバ（図示略）にアクセスし、広告管理サーバからターゲット情報３１、パラメータ情報３２、及び格納先情報３５を取得し、記憶部２３に格納したり、記憶部２３に格納されているこれら情報を更新する。なお、ターゲット情報及びパラメータ情報の取得は、例えば、広告管理サーバが各情報処理装置１０に対して所定のタイミングで配信する手法（プッシュ方式）を採用してもよいし、情報処理装置１０が所定のタイミングでサーバにアクセスしてこれら情報を取得する手法（プル方式）を採用してもよい。
【００２６】
広告表示順序決定部２５は、記憶部２３に格納されているターゲット情報３１、パラメータ情報３２、表示回数情報３３、属性情報３４に基づいて表示枠１７ａに表示させる広告コンテンツの表示順序を決定する。
例えば、広告表示順序決定部２５は、図４に示すように、判定部４１と、パラメータ取得部４２と、決定部４３とを備えている。
【００２７】
判定部４１は、属性情報３４と、広告コンテンツ毎に設定されたターゲット情報とに基づいて、広告コンテンツ毎にターゲット層か非ターゲット層かを判定する。例えば、属性情報３４において、ユーザ属性情報として、「男性、６５歳」といった性別及び年齢の情報が格納されており、機器属性情報として、「東京都世田谷区」といった機器の位置情報が格納されていた場合、判定部４１は、このような属性情報３４と記憶部２３に格納されているターゲット情報とを照合し、広告コンテンツ毎に当該ユーザがターゲット層に該当するか否かを判定する。この結果、例えば、識別情報「ＡＡＡ」、「ＣＣＣ」の広告コンテンツについては、ターゲット情報に合致するためにターゲット層であると判定され、識別情報「ＢＢＢ」の広告コンテンツについては、ターゲット情報に合致しないために非ターゲット層であると判定される。この判定結果は、例えば、各広告コンテンツの識別情報と関連付けられて記憶部２３に格納され（例えば、本実施形態では図７に示した表示回数情報に含められて登録され）、記憶部２３に格納されているターゲット情報が更新されるまで維持される。
【００２８】
パラメータ取得部４２は、判定部４１の判定結果及び広告コンテンツの表示回数に基づいて、パラメータ情報から該当するパラメータ値を広告コンテンツ毎に取得する。
例えば、図７に示した表示回数情報を例に挙げて説明すると、識別情報「ＡＡＡ」の広告コンテンツは、「ターゲット層」であり、表示回数が「２」である。したがって、パラメータ取得部４２は、図６に示したパラメータ情報から識別情報「ＡＡＡ」、「ターゲット層」、かつ、表示回数「２」に対応するパラメータ値である「９」を取得する。同様の手法で、パラメータ取得部４２は、識別情報「ＢＢＢ」の広告コンテンツについては「３」のパラメータ値を、識別情報「ＣＣＣ」の広告コンテンツについては「８」のパラメータ値を取得する。
【００２９】
決定部４３は、パラメータ取得部４２によって取得された広告コンテンツ毎のパラメータ値を用いて、広告コンテンツの表示順序を決定する。例えば、決定部４３は、各広告コンテンツのパラメータ値に応じた乱数を発生させ、乱数の大きい広告コンテンツほど表示順位が早まるように表示順序を決定する。
【００３０】
例えば、決定部４３は、広告「ＡＡＡ」であれば「０〜９」の間における乱数を、広告「ＢＢＢ」であれば「０〜４」の間における乱数を、広告「ＣＣＣ」であれば「０〜８」の乱数をそれぞれ発生させる。この結果、広告「ＡＡＡ」については「２」の乱数が、広告「ＢＢＢ」については「３」の乱数が、広告「ＣＣＣ」については「５」の乱数が発生したとする。この場合、表示順序は、広告「ＣＣＣ」、「ＢＢＢ」、「ＡＡＡ」の順序となる。このようにして決定された広告コンテンツの表示順序は表示切替部２６に出力され、使用される。
なお、上記例の場合は、パラメータの大小関係とは逆順の表示順になっているが、同種傾向のユーザや多くの試行を含む総体評価としては、広告「ＡＡＡ」、「ＣＣＣ」、「ＢＢＢ」のように、パラメータの大小関係に応じた表示順になる確率は高い。
【００３１】
表示切替部２６は、予め設定されている表示スケジュールに従って、広告以外のコンテンツ及び広告コンテンツを切り替えて表示枠１７ａに表示させる。例えば、図８に示すように、「ニュース」、「天気」、「カレンダー」の表示を３回繰り返すことを１クールとし、各クールの終了時に広告コンテンツを表示させるような表示スケジュールが組まれている場合、表示切替部２６は、この表示スケジュールに従ってコンテンツ記憶部２１に格納されている各コンテンツを順次読み出して表示枠１７ａに順次表示させるとともに、「広告」の表示タイミングにおいて、広告表示順序決定部２５によって決定された表示順序に従って表示枠１７ａに広告コンテンツを表示させる。このとき、各コンテンツの表示時間は一定としてもよいし、ユーザの設定等に応じて一部のコンテンツの表示時間を他のコンテンツに比べて短くまたは長くしてもよい。
【００３２】
広告コンテンツについては、表示切替部２６は、記憶部２３に格納されている格納先情報３５を参照して、表示対象となる広告コンテンツの格納先情報を取得し、その格納先（例えば、ＵＲＬ）にアクセスすることで広告コンテンツをストリーミング方式で表示枠１７ａに表示させる。なお、広告コンテンツの表示手法はストリーミングに限定されず、例えば、他のコンテンツ情報と同様に、コンテンツ記憶部２１に予めダウンロードして格納されているものを表示枠１７ａに表示させることとしてもよい。
また、広告コンテンツは動画コンテンツであっても、静止画コンテンツであってもよい。動画コンテンツの場合には、例えば、数十秒程度のものから数分程度のものが一例として挙げられる。
【００３３】
上記のような情報処理装置１０によれば、コンテンツ取得部２２によって所定のタイミングで広告以外の複数のコンテンツ、本実施形態では、「ニュース」、「天気」、「カレンダー」のコンテンツが各種サーバから取得され、コンテンツ記憶部２１に格納される。
また、情報取得部２４によって所定のタイミングで、広告管理サーバ（図示略）からターゲット情報３１、パラメータ情報３２、及び格納先情報３５が取得され、記憶部２３に格納される。広告表示順序決定部２５の判定部４１は、例えば、ターゲット情報３１が更新される度に、ターゲット情報３１に登録されているターゲット層の情報と、記憶部２３に格納されている属性情報３４とを比較し、各広告コンテンツについて当該ユーザがターゲット層に該当するか否かを判定し、その判定結果を記憶部２３に格納する。
【００３４】
そして、所定のイベントが発生し、表示枠１７ａにコンテンツを切り替えて表示するアプリケーションソフトウェアが起動された場合には、広告表示順序決定部２５は、記憶部２３に格納されている各種情報に基づいて広告コンテンツの表示順序を決定し、決定した表示順序を表示切替部２６に出力する。ここで、所定のイベントが発生するタイミングは、例えば、情報処理装置１０の起動時や、情報処理装置１０の入力部１６から入力情報が所定の時間継続して入力されなかったとき等が挙げられる。
【００３５】
具体的には、広告表示順序決定部２５のパラメータ取得部４２は、記憶部２３に格納されている判定部４１による判定結果、表示回数情報３３に登録されている各広告コンテンツの表示回数、及びパラメータ情報３２を用いて、各広告コンテンツのパラメータ値を取得する。そして、決定部４３は、パラメータ取得部４２によって取得されたパラメータ値に基づいて各広告コンテンツについて乱数を発生させ、乱数の値が大きい順に、表示順序を割り当てる。すなわち、乱数の値が最も大きい広告コンテンツの表示順序が「１」とされ、乱数の値が小さくなるにつれて表示順序が遅くなるように表示順序が決定される。
このようにして表示順序が決定されると、表示切替部２６に表示順序を出力する。
【００３６】
これにより、表示切替部２６は、表示枠１７ａへのコンテンツ表示において、広告コンテンツの表示タイミングでは、広告表示順序決定部２５によって決定された表示順序に従って広告コンテンツを取得し、表示枠１７ａに表示させる。これにより、例えば、識別情報「ＣＣＣ」、「ＢＢＢ」、「ＡＡＡ」の順番で表示順序が決定された場合には、例えば、図８に示した「広告１」のタイミングで識別情報「ＣＣＣ」の広告コンテンツが、「広告２」のタイミングで識別情報「ＢＢＢ」の広告コンテンツが表示枠１７ａに表示されることとなる。
【００３７】
そして、表示枠１７ａに対するコンテンツの表示を終了するイベントが発生するまで、例えば、ユーザによって入力部１６から何らかの入力情報が入力されたり、情報処理装置１０のシャットダウン指令が入力されたりするまで、広告表示順序決定部２５によって決定された広告表示順序に従って広告コンテンツの表示が行われる。
【００３８】
以上説明したように、本実施形態に係る情報処理装置１０、及び広告表示方法並びに広告表示プログラムによれば、表示枠１７ａに広告コンテンツを所定のタイミングで切り替えて表示させる場合において、ユーザが広告コンテンツのターゲット層に該当するか否かおよび広告コンテンツの表示枠１７ａへの表示回数に基づいて、各広告コンテンツのパラメータ値が取得され、このパラメータ値に基づいて広告コンテンツの表示順序が決定される。このように、表示回数とターゲットか否かの情報に基づいて広告コンテンツの表示順序が決まるので、ユーザがターゲット層とされている広告コンテンツを優先的にユーザに提示できるとともに、表示回数を考慮することで、一部の広告コンテンツのみが頻繁に繰り返しユーザに提示されることを回避することが可能となる。
【００３９】
更に、パラメータ値を優先順位などの確定的な数値とせずに表示確率とすることで、各広告コンテンツの表示順位を確定的なものではなく、確率的に調整することができる。これにより、例えば、確率論的にパラメータ値の低い広告コンテンツが優先的に表示される可能性も残すことができ、例えば、パラメータ値が高い広告だけが頻繁に表示枠１７ａに表示されることを回避することができ、ユーザに対して不快感を与えることを軽減することができる。
【００４０】
以上、本発明について実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００４１】
例えば、表示順序を決定するタイミングについては、上述したようなイベントが発生したタイミングに限定されない。例えば、表示枠１７ａに表示させた広告コンテンツの数が予め設定された閾値に達した場合に、表示順序を決めなおすこととしても良い。
【００４２】
また、本実施形態では、ターゲット層か否かによってパラメータ値を取得していたが、例えば、一つの広告コンテンツに対するターゲット情報として複数の条件が設定されていた場合には、その一部を満足する場合があり得る。このような場合には、ターゲット情報を満足する割合に応じて、ターゲット層のパラメータ値と、非ターゲット層のパラメータ値とを加重平均することにより、広告コンテンツのパラメータ値を決定することとしてもよい。
また、パラメータの重要度を追加属性として定義し、それを考慮した加重平均を用いてもよい。例えば、ターゲット情報において「男性：４」「都市部：１」とすると、地方に在住の男性の場合、ターゲット一致度は８０％となる。したがってこの場合、ターゲット層のパラメータ値に８０％、非ターゲット層のパラメータ値に２０％をそれぞれ乗じた値を加算した値が最終的なパラメータ値として演算される。
【符号の説明】
【００４３】
１０    ：情報処理装置
１６    ：入力部
１７    ：表示部
１７ａ  ：表示枠
２１    ：コンテンツ記憶部
２２    ：コンテンツ取得部
２３    ：記憶部
２４    ：情報取得部
２５    ：広告表示順序決定部
２６    ：表示切替部
３１    ：ターゲット情報
３２    ：パラメータ情報
３３    ：表示回数情報
３４    ：属性情報
３５    ：格納先情報
４１    ：判定部
４２    ：パラメータ取得部
４３    ：決定部
【図１】
2020027519.tif 000003
【図２】
2020027519.tif 000004
【図３】
2020027519.tif 000005
【図４】
2020027519.tif 000006
【図５】
2020027519.tif 000007
【図６】
2020027519.tif 000008
【図７】
2020027519.tif 000009
【図８】
2020027519.tif 000010